(57)【要約】稼動期間状態／停止期間状態に関係なく制御プレーンデータを送信するように構成されているプロセッサを含むユーザ装置（ＵＥ）。一実施形態において、ユーザ装置（ＵＥ）が提供され、そのユーザ装置は、稼動期間／停止期間の状態に関係なく制御プレーンデータを送信するように構成されているプロセッサを含む。別の実施形態において、ユーザ装置（ＵＥ）が提供され、そのユーザ装置は、拡張ノードＢ（ＥＮＢ）に制御信号を送信するように構成されている。スケジュールされた停止期間を中断し、ＵＥとＥＮＢとの間のリソースを確立し、制御信号が生成されるのと実質的に同時に、そのリソースを介して制御信号を送信するように構成されている構成要素をＵＥは含む。【選択図】図１
2011514714.tif 000002
【特許請求の範囲】
【請求項１】
パケットベースのシステムにおけるユーザ装置（ＵＥ）であって、
該ユーザ装置は、
スケジュールされた周期的な稼動期間において動作するように構成されている受信器と、
該スケジュールされた稼動期間に関係なく制御プレーンデータを送信するように構成されている送信器と
を含む、ユーザ装置。
【請求項２】
プロセッサが、稼動期間の間にのみユーザプレーンデータを送信するように構成されている、請求項１に記載のＵＥ。
【請求項３】
前記ユーザプレーンデータは、ＶｏＩＰデータパケットと、ウェブブラウジング、電子メールおよび他のユーザアプリケーションに関連する情報を含むデータパケットとを含むアプリケーションレイヤのデータを含む、請求項２に記載のＵＥ。
【請求項４】
前記制御プレーンデータは、レイヤ１のスケジューリング要求のうちの少なくとも１つを含む制御シグナリングを含む、請求項１〜３のうちのいずれか一項に記載のＵＥ。
【請求項５】
前記制御プレーンデータは、レイヤ２の無線リソース（ＲＲＣ）メッセージの制御シグナリングを含む、請求項１〜４のうちのいずれか一項に記載のＵＥ。
【請求項６】
前記制御プレーンデータは、移動性測定メッセージの制御シグナリングを含む、請求項１〜５のうちのいずれか一項に記載のＵＥ。
【請求項７】
制御プレーンデータが送信された後の期間の間、前記受信器が起動しているようにさらに構成されている、請求項１〜６のうちのいずれか一項に記載のＵＥ。
【請求項８】
予め定義された時間を測定するように構成されているタイミング調整タイマであって、該タイミング調整タイマが満了すると、チャネルリソースの解放を促進するように構成されているタイミング調整タイマをさらに含む、請求項１〜７のうちのいずれか一項に記載のＵＥ。
【請求項９】
前記予め定義された時間の間ネットワークアクセス装置からのタイミング調整信号を前記ＵＥが受信しない場合に、該ＵＥは前記チャネルリソースを解放する、請求項６に記載のＵＥ。
【請求項１０】
ユーザ装置（ＵＥ）からネットワークアクセス装置へ制御信号を送信する方法であって、
該方法は、スケジュールされた稼動期間に関係なく該制御信号を送信することを含む、方法。
【請求項１１】
前記ネットワークアクセス装置からの応答信号を前記ＵＥが受信するために、十分に長い期間の間該ＵＥを起動させ続けることをさらに含む、請求項１０に記載の方法。
【請求項１２】
前記期間は、応答タイマによって制御される、請求項１１に記載の方法。
【請求項１３】
前記制御信号を送信することが、前記スケジュールされた稼動期間に関係なく前記ネットワークアクセス装置へスケジューリング要求を送信することをさらに含む、請求項１０〜１２のうちのいずれか一項に記載の方法。
【請求項１４】
予め定義された時間の間に前記ＵＥがタイミング調整信号を前記ネットワークアクセス装置から受信しない場合、スケジューリング要求チャネルを該ＵＥが解放することをさらに含む、請求項１０〜１３のうちのいずれか一項に記載の方法。
【請求項１５】
予め定義された時間の間に前記ＵＥがタイミング調整信号を前記ネットワークアクセス装置から受信しない場合、該ＵＥがスケジューリング要求チャネルを解放することをさらに含む、請求項１０〜１４のうちのいずれか一項に記載の方法。
【発明の詳細な説明】
【背景技術】
【０００１】
ワイヤレス電気通信能力を有する、容易に持ち運ぶことのできるデバイス（例えば、携帯電話、携帯情報端末、ハンドヘルドコンピュータおよび同様のデバイス）が、本明細書内でユーザ装置（ＵＥ）といわれる。「ユーザ装置」という用語は、デバイスと、契約者認識用モジュール（Ｓｕｂｓｃｒｉｂｅｒ  Ｉｄｅｎｔｉｔｙ  Ｍｏｄｕｌｅ）（ＳＩＭ）アプリケーション、汎用契約者認識用モジュール（Ｕｎｉｖｅｒｓａｌ  Ｓｕｂｓｃｒｉｂｅｒ  Ｉｄｅｎｔｉｔｙ  Ｍｏｄｕｌｅ）（ＵＳＩＭ）アプリケーションまたはリムーバブルユーザ認識用モジュール（Ｒｅｍｏｖａｂｌｅ  Ｕｓｅｒ  Ｉｄｅｎｔｉｔｙ  Ｍｏｄｕｌｅ）（Ｒ−ＵＩＭ）アプリケーションを含むデバイスに連結された汎用ＩＣカード（Ｕｎｉｖｅｒｓａｌ  Ｉｎｔｅｇｒａｔｅｄ  Ｃｉｒｃｕｉｔ  Ｃａｒｄ）（ＵＩＣＣ）とに関連し得るか、またはそのようなカードなしでデバイスそれ自体に関連し得る。ＵＥは、第２のＵＥ、電気通信ネットワーク内の一部の他の要素、オートメーション化されたコンピューティングデバイス（例えば、サーバーコンピュータ）または一部の他のデバイスと通信し得る。ＵＥと別の構成要素との通信接続は、音声呼、ファイル転送、または一部の他の種類のデータ交換を促進し得、任意の通信接続は、呼またはセッションといわれ得る。
【０００２】
電気通信技術が発達したため、比較的進歩したネットワークアクセス装置が導入され、そのネットワークアクセス装置は、以前には可能でなかったサービスを提供し得る。この進歩したネットワークアクセス装置は、例えば、基地局ではなく拡張ノードＢ（ＥＮＢ）か、または従来のワイヤレス電気通信システムにおける同等な装置よりもより高度に発達した他のシステムおよびデバイスかを含み得る。そのような進歩した装置または次世代の装置は、本明細書内で、長期的発達（ｌｏｎｇ−ｔｅｒｍ  ｅｖｏｌｕｔｉｏｎ）（ＬＴＥ）装置といわれ得る。
【０００３】
一部のＵＥは、パケット交換モードで通信するための能力を有し、そこで、呼またはセッションの一部を表すデータストリームは、複数のパケットへと分割され、複数のパケットは、ユニークな識別子を付与される。その複数のパケットは次いで、異なる経路を伝わって送信元から送信先へと送信され得、異なる時間に送信先に到着し得る。送信先に到達すると、識別子に基づいて、その複数のパケットは、それらの元の並びへと再び組み立てられる。ボイスオーバーインターネットプロトコル（ＶｏＩＰ）は、インターネットを介したパケット交換ベースの音声通信のためのよく知られたシステムである。「ＶｏＩＰ」という用語は、本明細書内では、呼を行うために用いられ得る特定の技術に関係なく、インターネットを介して接続される任意のパケット交換音声呼に関する。
【０００４】
ワイヤレスＶｏＩＰ呼に対して、ＵＥとＥＮＢとの間のデータを搬送する信号は、特定のセットの周波数、コード、時間のパラメータ、およびＥＮＢによって特定され得る他の特徴を有し得る。そのような特定のセットの特徴を有するＵＥとＥＮＢとの間の接続は、リソースといわれ得る。ＥＮＢは、典型的に、各々のＵＥに対する異なるリソースを確立し、ＵＥは、任意の特定の時間においてそのリソースを用いて通信する。
【発明の概要】
【課題を解決するための手段】
【０００５】
一実施形態において、ユーザ装置（ＵＥ）が提供され、そのユーザ装置は、稼動期間／停止期間の状態に関係なく制御プレーンデータを送信するように構成されているプロセッサを含む。
【０００６】
別の実施形態において、ユーザ装置（ＵＥ）が提供され、そのユーザ装置は、拡張ノードＢ（ＥＮＢ）に制御信号を送信するように構成されている。スケジュールされた停止期間を中断し、ＵＥとＥＮＢとの間のリソースを確立し、制御信号が生成されるのと実質的に同時に、そのリソースを介して制御信号を送信するように構成されている構成要素をＵＥは含む。
【０００７】
別の実施形態において、ユーザ装置（ＵＥ）から拡張ノードＢ（ＥＮＢ）への制御信号を送信する方法が提供される。その方法は、ＵＥとＥＮＢとの間のリソースを確立するために、スケジュールされた停止期間を中断することを含む。その方法は、制御信号が生成されるのと実質的に同時に、そのリソースを介して制御信号を送信することを含む。
【図面の簡単な説明】
【０００８】
この開示のより完全な理解のために、添付の図面、および発明を実施するための形態に関連して、次の簡単な説明への参照がなされ、そこで、類似の参照番号は類似の部品を表す。
【図１】図１は、本開示の実施形態に従った電気通信システムのブロック図である。
【図２】図２は、本開示の実施形態に従った、ユーザ装置に対する稼動期間および停止期間を示す図である。
【図３】図３は、本開示の実施形態に従った、制御信号を送信する方法についての図である。
【図４】図４は、本開示の様々な実施形態のうちの一部について動作可能なユーザ装置を含むワイヤレス通信システムの図である。
【図５】図５は、本開示の様々な実施形態のうちの一部について動作可能なユーザ装置のブロック図である。
【図６】図６は、本開示の様々な実施形態のうちの一部について動作可能なユーザ装置に基づいてインプリメントされ得るソフトウェア環境の図である。
【図７】図７は、本発明の開示についてのいくつかの実施形態をインプリメントするために適した代表的な汎用コンピュータシステムを示す。
【発明を実施するための形態】
【０００９】
本開示の１つ以上の実施形態の例示的なインプリメンテーションが下記に提供されるが、開示されるシステムおよび／または方法が、既知であろうとまたは現存するであろうと、いずれかの複数の技術を用いてインプリメントされ得ることは最初に理解されたい。本開示は、本明細書内に例示されかつ述べられる代表的な設計およびインプリメンテーションを含む例示的なインプリメンテーション、図面および下記に例示される技術に決して限定されるべきではないが、均等物の全範囲とともに、添付の特許請求の範囲の範囲内で変形され得る。
【００１０】
図１は、ワイヤレス通信システム１００の実施形態を示し、ワイヤレス通信システム１００は、ＥＮＢ２０または類似の構成要素と通信する能力があるＵＥ１０を含む。様々な種類の情報の送信が、ＵＥ１０とＥＮＢ２０との間で行われ得る。例えば、ＵＥ１０は、ＶｏＩＰデータパケットと、ウェブブラウジング、電子メールおよび他のユーザアプリケーションに関連する情報を含むデータパケットとのような様々な種類のアプリケーションレイヤのデータをＥＮＢ２０に送信し得、様々な種類のアプリケーションレイヤのデータの全てが、ユーザプレーンデータといわれ得る。ＵＥのアプリケーションレイヤに関連する他の種類の情報は、当業者によく知られている。そのような情報を含む任意の信号は、本明細書内でデータ信号３０という。データ信号３０と関連した情報は、本明細書内でユーザプレーンデータという。
【００１１】
ＵＥ１０はまた、レイヤ１のスケジューリング要求、レイヤ２の無線リソース制御（ＲＲＣ）メッセージおよび移動性測定メッセージならびに他の制御メッセージのような様々な種類の制御シグナリングをＥＮＢ２０に送信し得、様々な種類の制御シグナリングの全てが、制御プレーンデータといわれ得、当業者によく知られている。ＵＥ１０は通常、呼を開始または維持するために、必要に応じてそのようなメッセージを生成する。任意のそのような信号は、本明細書内で制御信号４０という。制御信号４０と関連した情報は、本明細書内で制御プレーンデータという。
【００１２】
一部の事例において、ＵＥ１０とＥＮＢ２０との間に専用チャネルが存在し得、制御プレーンデータが専用チャネルを介して送信され得るか、または制御プレーンデータを送信するための要求が専用チャネルを介して送信され得る。他の事例において、ランダムアクセスチャネル（ＲＡＣＨ）が、これらの目的のために用いられ得る。即ち、一部の事例においては、制御プレーンデータを送信するためのリソースに対する要求がＲＡＣＨを介して送信され得、他の事例においては、制御プレーンデータそれ自体が、ＲＡＣＨを介して送信され得る。
【００１３】
ＵＥ１０が制御信号４０をＥＮＢ２０に送信する場合、ＥＮＢ２０は、応答信号または他の制御信号をＵＥ１０に返し得る。例えば、ＵＥ１０が移動性測定メッセージをＥＮＢ２０に送信する場合、ＥＮＢ２０は、受信通知メッセージ、または一部の他のハンドオーバー関連の制御メッセージを送信することによってＵＥ１０に応答し得る。制御信号４０をＵＥ１０から受信するとＥＮＢ２０が送信し得る他の種類の応答は、当業者によく知られる。ＵＥ１０によって送信される制御信号４０に対する、ＥＮＢ２０による任意のそのような応答は、本明細書内で応答信号５０という。
【００１４】
バッテリー電力を節約するために、ＵＥ１０は、高電力モードと低電力モードとを周期的に交互にし得る。例えば、不連続受容（ＤＲＸ）および不連続送信（ＤＴＸ）として知られている技術を用いて、ＵＥ１０は、比較的高電力消費の短い期間に周期的に入り得、その期間の間にデータが送信および受信され得る。そのような周期は、本明細書内で稼動期間という。稼動期間の間に、ＵＥ１０はより長い期間に入り得、その期間において、電力消費は低減され、データは送信も受信もされない。そのような周期は、本明細書内で停止期間という。電力節約とパフォーマンスとの間のバランスは、可能な限り長期にわたって停止期間を作る一方で、ＵＥ１０がデータを適切に送信および受信するための十分な長さの稼動期間をなお維持することによって達成され得る。
【００１５】
「ＤＲＸ」という用語は、不連続受容または不連続送信のいずれかを意味するように総称的に用いられる場合がある。混乱を避けるために、データがＵＥ１０から送信されるか、またはＵＥ１０によって受信されるかにかかわらず、「稼動期間」および「停止期間」の用語は、データを送信および受信するＵＥの能力を意味するように本明細書内で用いられる。
【００１６】
図２は、ＵＥ１０に対する稼動期間および停止期間の理想的な図を示す。より高い電力使用量をともなう稼動期間２１０は、より低い電力使用量をともなう停止期間２２０と時間において交互する。従来より、ＵＥ１０は、稼動期間２１０の間でのみデータを送信または受信し、停止期間２２０の間ではデータを送信も受信もしない。一例として、１つの稼動期間２１０および１つの停止期間２２０の全体の周期が２０マイクロ秒続くべきであることが決定され得る。この周期について、情報の有意な損失なしでＵＥ１０がデータを送信および受信するために、５マイクロ秒の稼動期間２１０は十分であるということが決定され得る。次いで、停止期間２２０が１５マイクロ秒続く。
【００１７】
稼動期間２１０および停止期間２２０の長さの決定は、アプリケーションのサービス品質（ＱｏＳ）パラメータに基づかれ得る。例えば、ＶｏＩＰ呼は、電子メールの送信よりも高いレベルの品質（即ち、より少ない遅延）を必要とし得る。呼がセットアップされる場合、ＵＥ１０およびＥＮＢ２０は、サービス交渉段階に入り、その段階において、ＱｏＳは、最大限許容できる遅延、最大限許容できるパケット損失および同類の考慮に基づいて交渉される。ＵＥ１０のユーザが契約するサービスのレベルはまた、ＱｏＳ交渉における要因となり得る。呼に対するＱｏＳパラメータが確立された場合、ＥＮＢ２０は、そのＱｏＳレベルに基づく稼動期間２１０および停止期間２２０についての適切な長さを設定する。
【００１８】
一実施形態において、ＵＥ１０によって生成される制御信号４０は、その制御信号４０が送信される時間における稼動期間２１０および停止期間２２０という状態に関係なく、制御信号４０が生成されるのと実質的に同時に、ＥＮＢ２０に送信される。すなわち、制御信号４０の生成がなければ停止期間２２０である間に制御信号４０が生成される場合、ＵＥ１０は、臨時の稼動期間に一時的に入り、臨時の稼動期間の間、リソースがＵＥ１０とＥＮＢ２０との間で確立される。臨時の稼動期間は、制御信号４０の送信を可能にするための十分な長さの期間である。規則的にスケジュールされた稼動期間２１０の間に生成される制御信号４０は、標準の手法において、稼動期間２１０の間に送信される。データ信号３０もまた、標準の手法において、稼動期間２１０の間に送信される。
【００１９】
制御信号４０が生成された後に、可能な限り早く制御信号４０を送信することによって、サービス品質は向上され得る。例えば、ＵＥ１０が測定を行った直後にＥＮＢ２０が移動性測定メッセージをＵＥ１０から受信する場合、スケジュールされた起動周期２１０の間にＥＮＢ２０が移動性測定メッセージを程経て受信する場合と比較すると、ＵＥの呼は、ハンドオーバーの間ドロップされる（ｄｒｏｐ）可能性が低くあり得る。この手順はまた、制御信号４０に対するプロトコルの複雑度を低減し得る。たとえば、メッセージが測定関連のメッセージであったかどうかを判定するために、前もってメッセージのペイロードを開くことが必要とされ得る。本明細書内に述べられる手法で全ての制御信号４０を扱うことによって、メッセージが測定関連のメッセージであるかどうかの判定は、単純化され得る。
【００２０】
前に言及した通り、ＥＮＢ２０は、ＵＥ１０からの制御信号４０を受信した後に、応答信号またはその他の制御信号５０をＵＥ１０に送信し得る。停止期間２２０の間に制御信号４０が送信される場合、制御信号４０の送信を可能にするために、停止期間２２０の間にリソースが確立され得る。一実施形態において、ＵＥ１０が応答信号またはその他の制御信号５０を受信できるように、ＵＥ１０は十分に長く起動する。ＵＥ１０が制御信号４０を送信した時間において応答タイマ６０は開始され得、応答タイマ６０が起動している期間の間、ＵＥ１０は起動している。応答タイマの起動時間内にＵＥ１０が受信する可能性のあるいかなる応答信号５０をも受信されるように、応答タイマの起動時間は、十分に長く設定され得る。応答タイマの起動時間は、ＥＮＢ２０によって特定され得、ＥＮＢ２０は次いで、応答タイマ６０にこの情報を送信し得る。応答タイマ６０は次いで、ＥＮＢ２０によって特定された時間の間起動し得る。応答タイマ６０は、図１に示される通り、ＵＥ１０の中に存在し得るか、またはその他の所に存在し得る。
【００２１】
これは図２に示され、そこで制御信号４０は、停止期間２２０ｃの間に生成される。前に述べられた通り、制御信号４０の送信を可能にするために、制御信号４０の送信がなければＵＥ１０が停止期間にあるにもかかわらず、リソースは、ＵＥ１０とＥＮＢ２０との間で確立される。制御信号４０が送信される場合に応答タイマ６０は開始され、ＵＥ１０は、応答タイマの終了時間２３０に達するまで起動している。応答信号５０が受信されるよりも前に経過する可能性がある時間の長さは知られ得る。応答タイマの終了時間２３０は、タイマ起動時間２４０を提供するように設定され得、タイマ起動時間２４０は、ＵＥ１０が起動しているままである間、その起動時間２４０の間に応答信号５０が受信される可能性のある十分な長さである。
【００２２】
前に言及した通り、ＵＥ１０がＥＮＢ２０に送信し得る制御信号４０のうちの１つは、ＳＲチャネルを介して送信されるスケジューリング要求（ＳＲ）である。ＳＲチャネルは、ＵＥ１０とＥＮＢ２０との間の専用チャネルであり、特にＥＮＢ２０からのリソースを要求するためのチャネルをＵＥ１０に提供する目的で確立される。ＳＲチャネル上にインジケータを配置することによってＵＥ１０がＳＲを送信する場合、ＥＮＢ２０は、これをリソースに対する要求として解釈する。ＥＮＢ２０は次いで、アップリンクのリソースをＵＥ１０に付与し得る。
【００２３】
一実施形態において、ＳＲの送信は、ＵＥの稼動期間２１０および停止期間２２０から独立している。即ち、制御信号４０のように、ＵＥ１０が稼動期間２１０にあるか、または停止期間２２０にあるかに関係なく、ほぼＳＲが生成される時間にＳＲは送信される。これは図２に示され、そこでＳＲ２５０は、停止期間２２０ｄの間に送信される。
【００２４】
ＵＥ１０とＥＮＢ２０との間の同期が、これらの２つのエンティティ間で行われる通信のために必要とされ得ることは、当業者によく知られている。この同期を達成するために、ＥＮＢ２０または一部の他の構成要素は、タイミング調整の構成要素を含み得、タイミング調整の構成要素は、タイミング調整信号をＵＥ１０に周期的に送信することにより、ＥＮＢ２０とＵＥ１０との間の同期を保つ。そのようなタイミング調整信号をＵＥ１０が長期間の間ＥＮＢから受信しなかった場合、ＵＥ１０とＥＮＢ２０との間の同期は維持できなくなり得る。
【００２５】
一実施形態において、タイミング調整タイマ７０は、ＵＥ１０がタイミング調整信号をＥＮＢ２０から受信してから経過した時間の量を追跡し得る。一実施形態において、タイミング調整タイマ７０が満了する場合、ＳＲチャネルは解放される。即ち、タイミング調整タイマの起動時間内にタイミング調整信号をＵＥ１０が受信しない場合、ＵＥ１０はＳＲチャネルを解放する。タイミング調整タイマ７０は、図１に示される通り、ＵＥ１０の中に存在し得るか、またはその他の所に存在し得る。
【００２６】
あるいは、またはさらに、タイミング調整に関連するタイマはＥＮＢ２０によって維持され得る。ＥＮＢベースのタイマが満了する前に、ＥＮＢ２０が、制御プレーンデータ、ユーザプレーンデータまたは他のデータをＵＥ１０から受信しない場合、ＥＮＢ２０は、同期が維持できなくなったと想定し得、ＵＥ１０にＳＲチャネルを解放するように命令し得る。
【００２７】
図３は、ＵＥからＥＮＢへ制御信号を送信する方法３００の一実施形態を示す。ブロック３１０において、スケジュールされた停止期間は、ＵＥとＥＮＢとの間のリソースを確立するために中断される。ブロック３２０において、制御信号は、その制御信号が生成されるのと実質的に同時に、そのリソースを介して送信される。
【００２８】
図４は、ＵＥ１０の一実施形態を含むワイヤレス通信システムを示す。ＵＥ１０は、本開示の局面をインプリメントすることについて動作可能であるが、本開示は、これらのインプリメンテーションに限定されるべきではない。携帯電話として示されるが、ＵＥ１０は、無線の電話機（ｈａｎｄｓｅｔ）、携帯無線呼び出し器（ｐａｇｅｒ）、携帯情報端末（ＰＤＡ）、携帯型のコンピュータ、タブレットコンピュータ（ｔａｂｌｅｔ  ｃｏｍｐｕｔｅｒ）またはラップトップコンピュータを含む様々な形状をとり得る。多くの好適なデバイスは、これらの機能のうちの一部または全てを組み合わせる。本開示の実施形態の一部において、ＵＥ１０は、携帯型のコンピュータ、ラップトップコンピュータまたはタブレットコンピュータのような汎用のコンピュータデバイスではないが、むしろ、携帯電話、無線の電話機、携帯無線呼び出し器、ＰＤＡ、または乗り物に取り付けられる電気通信デバイスのような特殊目的の通信デバイスである。別の実施形態において、ＵＥ１０は、携帯型のコンピュータ、ラップトップコンピュータまたは他のコンピューティングデバイスであり得る。ＵＥ１０は、ゲーム機能、在庫管理機能、作業管理機能および／またはタスク管理機能などのような特化された業務を支援し得る。
【００２９】
ＵＥ１０はディスプレイ４０２を含む。ＵＥ１０はまた、ユーザによる入力のために、４０４と表されるタッチセンシティブの表面、キーボードまたは他の入力キーを一般に含む。キーボードは、全ての英数字もしくは減少された英数字（例えば、ＱＷＥＲＴＹ、Ｄｖｏｒａｋ、ＡＺＥＲＴＹおよび順次的な種類）のキーボードか、または電話機のキーパッドと関連した、アルファベット文字を有する従来の数字のキーパッドかであり得る。入力キーは、トラックホイール（ｔｒａｃｋｗｈｅｅｌ）と、終了キー（ｅｘｉｔ  ｋｅｙ）またはエスケープキーと、トラックボールと、他のナビゲーションのキーまたは機能的なキーとを含み得、その入力キーは、内側に押されることにより、さらなる入力機能を提供する。ＵＥ１０は、ユーザが選択するためのオプション、ユーザが作動させるための制御、および／またはユーザが方向づけるためのカーソルもしくは他のインジケータを与え得る。
【００３０】
ＵＥ１０は、ダイヤルする番号か、またはＵＥ１０の動作を構成するための様々なパラメータ値かを含むユーザからのデータ入力をさらに受け入れ得る。ＵＥ１０は、ユーザのコマンドに応答して、１つ以上のソフトウェアのアプリケーションまたはファームウェアのアプリケーションをさらに実行し得る。これらのアプリケーションは、ユーザの対話に応答してカスタマイズされた様々な機能を実行するようにＵＥ１０を構成し得る。さらに、ＵＥ１０は、例えば、ワイヤレス基地局、ワイヤレスアクセスポイント、またはＵＥ１０のピアからの電波を介してプログラムされ、かつ／または、構成され得る。
【００３１】
ＵＥ１０によって実行可能な様々なアプリケーションの中にはウェブブラウザがあり、ウェブブラウザは、ディスプレイ４０２がウェブページを示すことを可能にする。ウェブページは、ワイヤレスネットワークアクセスノード、セルタワー（ｃｅｌｌ  ｔｏｗｅｒ）、ＵＥ１０のピア、または他の任意のワイヤレス通信ネットワークもしくはワイヤレス通信システム４００を用いるワイヤレス通信を介して得られ得る。ネットワーク４００は、インターネットのような有線のネットワーク４０８に結合される。ワイヤレスリンクおよび有線のネットワークを介して、ＵＥ１０は、サーバー４１０のような様々なサーバー上の情報へのアクセスを有する。サーバー４１０は、ディスプレイ４０２上に示され得るコンテンツを提供し得る。あるいは、ＵＥ１０は、仲介としてか、リレータイプ（ｒｅｌａｙ  ｔｙｐｅ）の接続においてか、またはホップタイプ（ｈｏｐ  ｔｙｐｅ）の接続において作用するＵＥ１０のピアを介してネットワーク４００にアクセスし得る。
【００３２】
図５はＵＥ１０のブロック図を示す。知られている様々なＵＥ１０の構成要素が図示される一方で、一実施形態において、列挙された構成要素のサブセット、および／または列挙されていないさらなる構成要素もまた、ＵＥ１０に含まれ得る。ＵＥ１０は、デジタル信号プロセッサ（ＤＳＰ）５０２およびメモリ５０４を含む。示される通り、ＵＥ１０は、アンテナおよびフロントエンドユニット５０６、無線周波（ＲＦ）トランシーバ５０８、アナログベースバンド処理ユニット５１０、マイクロフォン５１２、受話器スピーカ５１４、ヘッドセットポート５１６、入力／出力インタフェース５１８、リムーバブルメモリカード５２０、ユニバーサルシリアルバス（ＵＳＢ）ポート５２２、短距離ワイヤレス通信サブシステム５２４、アラート（ａｌｅｒｔ）５２６、キーパッド５２８、タッチセンシティブの表面を含み得る液晶ディスプレイ（ＬＣＤ）５３０、ＬＣＤコントローラ５３２、電荷結合素子（ＣＣＤ）カメラ５３４、カメラコントローラ５３６、ならびに全世界測位システム（ＧＰＳ）センサ５３８をさらに含み得る。一実施形態において、ＵＥ１０は、タッチセンシティブスクリーンを提供しない別の種類のディスプレイを含み得る。一実施形態において、ＤＳＰ５０２は、入力／出力インタフェース５１８を経ることなくメモリ５０４と直接通信し得る。
【００３３】
ＤＳＰ５０２、または一部の他の形態のコントローラもしくは中央処理装置は、メモリ５０４に記憶されるか、またはＤＳＰ５０２自体の中に含まれるメモリに記憶される組み込みソフトウェアまたはファームウェアに従って、ＵＥ１０の様々な構成要素を制御するように動作する。組み込みソフトウェアまたはファームウェアに加えて、ＤＳＰ５０２は、メモリ５０４に記憶されるか、もしくは情報搬送媒体（例えば、リムーバブルメモリカード５２０のような携帯型のデータ保存媒体）を介してか、または有線もしくはワイヤレスのネットワーク通信を介して提供される他のアプリケーションを実行し得る。アプリケーションソフトウェアは、所望される機能性を提供するためにＤＳＰ５０２を構成する、機械が読み取り可能なコンパイルされた命令のセットを含み得るか、またはアプリケーションソフトウェアは、インタープリタもしくはコンパイラによって処理される高級のソフトウェア命令であり、ＤＳＰ５０２を間接的に構成し得る。
【００３４】
アンテナおよびフロントエンドユニット５０６は、ワイヤレス信号と電気信号との間の変換をするために提供され得、セルラー式のネットワーク、もしくは一部の他の利用可能なワイヤレス通信ネットワークからの情報、またはＵＥ１０のピアからの情報をＵＥ１０が送信および受信することを可能にする。一実施形態において、アンテナおよびフロントエンドユニット５０６は、複数のアンテナを含み、それにより、ビーム形成、および／または複数入力複数出力（ＭＩＭＯ）動作を支援し得る。当業者に知られているように、ＭＩＭＯ動作は、空間ダイバーシティ（ｓｐａｔｉａｌ  ｄｉｖｅｒｓｉｔｙ）を提供し、空間ダイバーシティは、困難なチャネルの状態を克服し、かつ／または、チャネルのスループットを向上させるために用いられ得る。アンテナおよびフロントエンドユニット５０６は、アンテナチューニングの構成要素および／もしくはインピーダンス整合の構成要素、ＲＦ電力増幅器、ならびに／または低雑音増幅器を含み得る。
【００３５】
ＲＦトランシーバ５０８は、周波数偏移、受信したＲＦ信号のベースバンドへの変換、およびベースバンド送信信号のＲＦへの変換を提供する。一部の解説において、無線トランシーバまたはＲＦトランシーバは、他の信号処理の機能性（例えば、変調／復調、コーディング／デコーディング、インターリーブ（ｉｎｔｅｒｌｅａｖｉｎｇ）／逆インターリーブ（ｄｅｉｎｔｅｒｌｅａｖｉｎｇ）、拡散（ｓｐｒｅａｄｉｎｇ）／逆拡散（ｄｅｓｐｒｅａｄｉｎｇ）、逆高速フーリエ変換（ＩＦＦＴ）／高速フーリエ変換（ＦＦＴ）、周期的なプレフィックスの付加／除去、および他の信号処理機能）を含むことが理解され得る。明確にする目的で、本明細書内の解説は、ＲＦおよび／または無線の段階からこの信号処理の解説を分け、その信号処理を、アナログベースバンド処理ユニット５１０および／もしくはＤＳＰ５０２または他の中央処理装置に概念的に割り当てる。一部の実施形態において、ＲＦトランシーバ５０８、アンテナおよびフロントエンドユニット５０６の一部、およびアナログベースバンド処理ユニット５１０は、１つ以上の処理ユニットおよび／または特定用途向けＩＣ（ＡＳＩＣ）と組み合わせられ得る。
【００３６】
アナログベースバンド処理ユニット５１０は、入力および出力の様々なアナログ処理（例えば、マイクロフォン５１２およびヘッドセット５１６からの入力と、受話器５１４およびヘッドセット５１６への出力とのアナログ処理）を提供し得る。その目的のために、アナログベースバンド処理ユニット５１０は、ＵＥ１０が携帯電話として用いられることを可能にする内臓のマイクロフォン５１２および受話器スピーカ５１４と接続するためのポートを有し得る。アナログベースバンド処理ユニット５１０は、ヘッドセットか、または他のハンズフリーのマイクロフォンおよびスピーカの構成かへ接続するためのポートをさらに含み得る。アナログベースバンド処理ユニット５１０は、１つの信号方向におけるデジタルアナログ変換、およびその反対の信号方向におけるアナログデジタル変換を提供し得る。一部の実施形態において、アナログベースバンド処理ユニット５１０の少なくとも一部の機能性は、デジタル処理の構成要素によって（例えば、ＤＳＰ５０２によってか、または他の中央処理装置によって）提供され得る。
【００３７】
ＤＳＰ５０２は、変調／復調、コーディング／デコーディング、インターリーブ／逆インターリーブ、拡散／逆拡散、逆高速フーリエ変換（ＩＦＦＴ）／高速フーリエ変換（ＦＦＴ）、周期的なプレフィックスの付加／除去、および他のワイヤレス通信に関連した信号処理機能を行い得る。一実施形態において、例えば符号分割多元接続（ＣＤＭＡ）技術の適用において、送信器の機能に対しては、ＤＳＰ５０２は、変調、コーディング、インターリーブおよび拡散を行い得、受信器の機能に対しては、ＤＳＰ５０２は、逆拡散、逆インターリーブ、デコーディングおよび復調を行い得る。別の実施形態において、例えば、直交周波数分割多重接続（ＯＦＤＭＡ）技術の適用において、送信器の機能に対しては、ＤＳＰ５０２は、変調、コーディング、インターリーブ、逆高速フーリエ変換、および周期的なプレフィックスの付加を行い得、受信器の機能に対しては、ＤＳＰ５０２は、周期的なプレフィックスの除去、高速フーリエ変換、逆インターリーブ、デコーディングおよび復調を行い得る。他の無線技術の適用においては、さらに他の信号処理機能、および信号処理機能の組み合わせがＤＳＰ５０２によって行われ得る。
【００３８】
ＤＳＰ５０２は、アナログベースバンド処理ユニット５１０を介して、ワイヤレスネットワークと通信し得る。一部の実施形態において、その通信は、インターネットの接続性を提供し得、インターネット上のコンテンツへのアクセスをユーザが得られることと、電子メールまたはテキストメッセージをユーザが送信および受信することとを可能にする。入力／出力インタフェース５１８は、ＤＳＰ５０２と様々なメモリと様々なインタフェースとを連係させる。メモリ５０４およびリムーバブルメモリカード５２０は、ＤＳＰ５０２の動作を構成するためのソフトウェアおよびデータを提供し得る。インタフェースの中には、ＵＳＢインタフェース５２２および短距離ワイヤレス通信サブシステム５２４が存在し得る。ＵＳＢインタフェース５２２は、ＵＥ１０を充電するのに用いられ得、パーソナルコンピュータまたは他のコンピュータシステムを用いて情報を交換するための周辺デバイスとしてＵＥ１０が機能することもまた可能にし得る。短距離ワイヤレス通信サブシステム５２４は、赤外線のポート、ブルートゥースインタフェース、ＩＥＥＥ８０２．１１準拠のワイヤレスインタフェースまたは任意の他の短距離ワイヤレス通信サブシステムを含み得、それにより、ＵＥ１０が他の近傍の移動体デバイスおよび／またはワイヤレス基地局とワイヤレスに通信することを可能にし得る。
【００３９】
入力／出力インタフェース５１８は、ＤＳＰ５０２をアラート５２６にさらに接続し得、アラート５２６は、誘発された場合に、例えば、鳴ること、メロディーを再生することまたは振動することによって、ＵＥ１０にユーザへの通知を提供させる。アラート５２６は、無音で振動することによって、または特定の発呼者に対して予め割り当てられた特定のメロディーを再生することによって、任意の様々なイベント（例えば、着信呼、新たなテキストメッセージ、およびリマインダ）に対してユーザに注意を喚起するための仕組みとしての役割を果たし得る。
【００４０】
キーパッド５２８は、インタフェース５１８を介してＤＳＰ５０２に結合し、ユーザが選択を行うための１つの仕組み、ユーザが情報を入力するための１つの仕組み、およびそうでなければＵＥ１０への入力をユーザが提供するための１つの仕組みを提供する。キーボード５２８は、全ての英数字もしくは減少された英数字（例えば、ＱＷＥＲＴＹ、Ｄｖｏｒａｋ、ＡＺＥＲＴＹおよび順次的な種類）のキーボードか、または電話機のキーパッドと関連した、アルファベット文字を有する従来の数字のキーパッドかであり得る。入力キーは、トラックホイールと、終了キーまたはエスケープキーと、トラックボールと、他のナビゲーションのキーまたは機能的なキーとを含み得、入力キーは、内側に押されることにより、さらなる入力機能を提供する。別の入力の仕組みはＬＣＤ５３０であり得、ＬＣＤ５３０は、タッチスクリーンの能力を含み得、また、テキストおよび／またはグラフィックスをユーザに表示し得る。ＬＣＤコントローラ５３２は、ＤＳＰ５０２をＬＣＤ５３０に結合する。
【００４１】
ＣＣＤカメラ５３４は、装備された場合に、ＵＥ１０がデジタルの写真を撮ることを可能にする。ＤＳＰ５０２は、カメラコントローラ５３６を介してＣＣＤカメラ５３４と通信する。別の実施形態において、電荷結合素子カメラ以外の技術に従ったカメラの動作が用いられ得る。ＧＰＳセンサ５３８は、ＤＳＰ５０２と結合され、全世界測位システムの信号をデコードし、それにより、ＵＥ１０がＵＥ１０自体の位置を決定することを可能にする。様々な他の周辺機器はまた、さらなる機能（即ち、無線の受容およびテレビ放送の受容）を提供するために含まれ得る。
【００４２】
図６は、ソフトウェア環境６０２を示し、ソフトウェア環境６０２は、ＤＳＰ５０２によってインプリメントされ得る。ＤＳＰ５０２は、オペレーティングシステムドライバ６０４を実行し、オペレーティングシステムドライバ６０４は、プラットフォームを提供し、そのプラットフォームからその他のソフトウェアが動作する。オペレーティングシステムドライバ６０４は、アプリケーションソフトウェアにアクセス可能である標準化されたインタフェースを有するワイヤレスデバイスのハードウェアに対するドライバを提供する。オペレーティングシステムドライバ６０４は、アプリケーション管理サービス（「ＡＭＳ」）６０６を含み、アプリケーション管理サービス６０６は、ＵＥ１０上で起動するアプリケーション間で制御を移す。また、図６に示されるのは、ウェブブラウザアプリケーション６０８、メディアプレイヤアプリケーション６１０およびＪａｖａ（登録商標）アプレット６１２である。ウェブブラウザアプリケーション６０８は、ウェブブラウザとして動作するようにＵＥ１０を構成し、ユーザが情報をフォームの中に入力することと、ユーザがリンクを選択し、ウェブページを検索および閲覧することとを可能にする。メディアプレイヤアプリケーション６１０は、オーディオまたはオーディオビジュアルのメディアを検索および再生するようにＵＥ１０を構成する。Ｊａｖａ（登録商標）アプレット６１２は、ゲーム、ユーティリティおよび他の機能性を提供するためにＵＥ１０を構成する。構成要素６１４は、制御信号管理に関連した機能性を提供し得る。
【００４３】
上記に述べられるシステムは、そのシステム上に配置される必要な仕事量を処理するための十分な処理能力、十分なメモリリソースおよび十分なネットワークスループットの能力を有する任煮の汎用コンピュータ上にインプリメントされ得る。図７は、本明細書内に開示される１つ以上の実施形態をインプリメントするのに適した典型的な汎用コンピュータシステムを示す。コンピュータシステム５８０は、プロセッサ５８２（プロセッサ５８２は中央処理装置またはＣＰＵといわれ得る）を含み、プロセッサ５８２は、第２のストレージ５８４、読み出し専用メモリ（ＲＯＭ）５８６、ランダムアクセスメモリ（ＲＡＭ）５８８、入力／出力（Ｉ／Ｏ）デバイス５９０およびネットワーク接続デバイス５９２を含むメモリデバイスと連絡する。プロセッサ５８２は、１つ以上のＣＰＵチップとしてインプリメントされ得る。
【００４４】
第２のストレージ５８４は典型的に、１つ以上のディスクドライブまたはテープドライブが含まれ、不揮発性のデータの保存のために用いられ、かつ、ＲＡＭ５８８が全てのワーキングデータを保持するのに十分な大きさでない場合のオーバフローデータ保存デバイスとして用いられる。第２のストレージ５８４は、プログラムを記憶するのに用いられ得、そのようなプログラムが実行のために選択された場合にそのプログラムはＲＡＭ５８８の中にロードされる。ＲＯＭ５８６は、命令および周辺機器のデータを記憶するのに用いられ、その命令および周辺装置のデータは、プログラムの実行中に読み出される。ＲＯＭ５８６は、典型的に、第２のストレージの比較的大きなメモリ容量と比べて小さなメモリ容量を有する不揮発性のメモリデバイスである。ＲＡＭ５８８は、揮発性のデータを記憶するのに用いられ、あるいは命令を記憶するのに用いられる。ＲＯＭ５８６およびＲＡＭ５８８の両方へのアクセスは、典型的に、第２のストレージ５８４へのアクセスよりも速い。
【００４５】
Ｉ／Ｏデバイス５９０は、プリンタ、ビデオモニタ、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置または他のよく知られた入力デバイスを含み得る。
【００４６】
ネットワーク接続デバイス５９２は、モデム、モデム群、イーサネット（登録商標）カード、ユニバーサルシリアルバス（ＵＳＢ）インタフェースカード、シリアルインタフェース、トークンリングカード、光ファイバ分散データインタフェース（ＦＤＤＩ）カード、無線ローカルエリアネットワーク（ＷＬＡＮ）カード、無線トランシーバカード（例えば、符号分割多元接続（ＣＤＭＡ）および／または世界移動電話規格（ＧＳＭ）の無線トランシーバカード）ならびに他のよく知られたネットワークデバイスという形を取り得る。ネットワーク接続デバイス５９２は、プロセッサ５８２がインターネットまたは１つ以上のイントラネットと通信することを可能にし得る。そのようなネットワーク接続を用いて、上記で述べられた方法のステップを実行する間に、プロセッサ５８２が、ネットワークからの情報を受信し得るか、またはネットワークに情報を出力し得ることは企図される。そのような情報は、プロセッサ５８２を用いて実行される命令の並びとして表され、例えば、搬送波の中に具現されるコンピュータデータ信号のかたちでネットワークから受信され、ネットワークに出力され得る。ネットワーク接続デバイス５９２はまた、ワイヤレスにまたはワイヤレス以外で、当業者によく知られるような信号を送信および受信するための１つ以上の送信器および受信器を含み得る。
【００４７】
そのような情報は、プロセッサ５８２を用いて実行されるデータまたは命令を含み得、例えば、ネットワークから受信されかつネットワークに出力され得、例えば、ベースバンド信号、または搬送波の中に具現される信号のかたちをとる。ネットワーク接続デバイス５９２によって生成されるコンピュータベースバンド信号、または搬送波の中に具現される信号は、電気導体の表面内もしくは表面上、同軸ケーブルの中、導波管の中、光学式のメディアの中（例えば、光ファイバもしくは電波の中）または自由空間を伝播し得る。ベースバンド信号、または搬送波の中に組み込まれる信号に含まれる情報は、情報の処理もしくは生成か、または情報の送信もしくは受信かのいずれかに対して望ましくあり得るように、異なる並びに従って順序づけられ得る。現在用いられているか、または今後開発されるかされ、本明細書内で送信媒体といわれるベースバンド信号、もしくは搬送波の中に組み込まれる信号または他の種類の信号は、当業者によく知られているいくつかの方法に従って生成され得る。
【００４８】
プロセッサ５８２は、命令、コード、コンピュータプログラム、スクリプトを実行し、それらは、ハードディスク、フロッピー（登録商標）ディスク、光ディスク（これらの様々なディスクベースのシステムは全て第２のストレージ５８４であることが考慮され得る）、ＲＯＭ５８６、ＲＡＭ５８８またはネットワーク接続デバイス５９２からプロセッサ５８２がアクセスする。１つのプロセッサ５８２のみが示される一方で、複数のプロセッサも与えられ得る。従って、１つのプロセッサによって命令が実行されるように議論され得る一方で、その命令は、同時に、シリアルに実行され得、またはそうでなければ１つまたは複数のプロセッサによって実行され得る。
【００４９】
いくつかの実施形態が本開示の中に提供された一方で、開示されたシステムおよび方法は、本開示の精神または範囲から離れることなく、多くの他の特定の形態の中に具現され得ることは理解されたい。本実施例は、例示的であって制限的でないものとして考慮されるべきであり、その意図が、本明細書内に提供された細目に限定されるべきではない。例えば、様々な要素または構成要素が、省略されるか、またはインプリメントされなくあり得る別のシステムまたは何らかの特徴において組み合わせられ、統合され得る。
【００５０】
また、別々にまたは別個のものとして様々な実施形態において述べられ、例示された技術、システム、サブシステムおよび方法は、本開示の範囲から離れることなく、他のシステム、モジュール、技術または方法と組み合わせられ、または統合され得る。互いに直接結合されるか、または直接通信されるように示されたか、または述べられた他の項目は、一部のインタフェース、デバイス、または介在する構成要素を介して、電気的にであろうと、機械的にであろうとまたは別の方法であろうと間接的に結合されるか、または通信され得る。実施例の他の変形、代用および代替は、当業者によって把握でき、本明細書内の開示された精神および範囲から離れることなくなされ得る。
【図１】
2011514714.tif 000003
【図２】
2011514714.tif 000004
【図３】
2011514714.tif 000005
【図４】
2011514714.tif 000006
【図５】
2011514714.tif 000007
【図６】
2011514714.tif 000008
【図７】
2011514714.tif 000009
【手続補正書】
【提出日】平成22年8月25日(2010.8.25)
【手続補正１】
【補正対象書類名】特許請求の範囲
【補正対象項目名】全文
【補正方法】変更
【補正の内容】
【特許請求の範囲】
【請求項１】
稼動期間状態／停止期間状態に関係なく制御プレーンデータを送信するように構成されているプロセッサを含み、
ユーザ装置（ＵＥ）の受信器は、該制御プレーンデータが送信された後の期間の間、物理ダウンリンク制御チャネル（ＰＤＣＣＨ）の監視を開始するように構成されている、ユーザ装置。
【請求項２】
プロセッサが、稼動期間の間にのみユーザプレーンデータを送信するように構成されている、請求項１に記載のＵＥ。
【請求項３】
前記ユーザプレーンデータは、ＶｏＩＰデータパケットと、ウェブブラウジング、電子メールおよび他のユーザアプリケーションに関連する情報を含むデータパケットとを含むアプリケーションレイヤのデータを含む、請求項２に記載のＵＥ。
【請求項４】
前記制御プレーンデータは、レイヤ１のスケジューリング要求のうちの少なくとも１つを含む制御シグナリングを含む、請求項１〜３のうちのいずれか一項に記載のＵＥ。
【請求項５】
前記制御プレーンデータは、レイヤ２の無線リソース（ＲＲＣ）メッセージの制御シグナリングを含む、請求項１〜４のうちのいずれか一項に記載のＵＥ。
【請求項６】
前記制御プレーンデータは、移動性測定メッセージの制御シグナリングを含む、請求項１〜５のうちのいずれか一項に記載のＵＥ。
【請求項７】
制御プレーンデータが送信された後の期間の間、前記受信器が起動しているようにさらに構成されている、請求項１〜６のうちのいずれか一項に記載のＵＥ。
【請求項８】
予め定義された時間を測定するように構成されているタイミング調整タイマであって、該タイミング調整タイマが満了すると、チャネルリソースの解放を促進するように構成されているタイミング調整タイマをさらに含む、請求項１〜７のうちのいずれか一項に記載のＵＥ。
【請求項９】
前記予め定義された時間の間ネットワークアクセス装置からのタイミング調整信号を前記ＵＥが受信しない場合に、該ＵＥは前記チャネルリソースを解放する、請求項６に記載のＵＥ。
【請求項１０】
ユーザ装置（ＵＥ）からネットワークアクセス装置へ制御信号を送信する方法であって、
該方法は、
スケジュールされた稼動期間に関係なく該制御信号を送信することと、
該制御信号が送信された後の期間の間、物理ダウンリンク制御チャネル（ＰＤＣＣＨ）を監視することと
を含む、方法。
【請求項１１】
前記ネットワークアクセス装置からの応答信号を前記ＵＥが受信するために、十分に長い期間の間該ＵＥを起動させ続けることをさらに含む、請求項１０に記載の方法。
【請求項１２】
前記期間は、応答タイマによって制御される、請求項１１に記載の方法。
【請求項１３】
前記制御信号を送信することが、前記スケジュールされた稼動期間に関係なく前記ネットワークアクセス装置へスケジューリング要求を送信することをさらに含む、請求項１０〜１２のうちのいずれか一項に記載の方法。
【請求項１４】
予め定義された時間の間に前記ＵＥがタイミング調整信号を前記ネットワークアクセス装置から受信しない場合、スケジューリング要求チャネルを該ＵＥが解放することをさらに含む、請求項１０〜１３のうちのいずれか一項に記載の方法。
【手続補正２】
【補正対象書類名】明細書
【補正対象項目名】０００７
【補正方法】変更
【補正の内容】
【０００７】
別の実施形態において、ユーザ装置（ＵＥ）から拡張ノードＢ（ＥＮＢ）への制御信号を送信する方法が提供される。その方法は、ＵＥとＥＮＢとの間のリソースを確立するために、スケジュールされた停止期間を中断することを含む。その方法は、制御信号が生成されるのと実質的に同時に、そのリソースを介して制御信号を送信することを含む。
例えば、本発明は以下の項目を提供する。
（項目１）
パケットベースのシステムにおけるユーザ装置（ＵＥ）であって、
該ユーザ装置は、
スケジュールされた周期的な稼動期間において動作するように構成されている受信器と、
該スケジュールされた稼動期間に関係なく制御プレーンデータを送信するように構成されている送信器と
を含む、ユーザ装置。
（項目２）
プロセッサが、稼動期間の間にのみユーザプレーンデータを送信するように構成されている、項目１に記載のＵＥ。
（項目３）
上記ユーザプレーンデータは、ＶｏＩＰデータパケットと、ウェブブラウジング、電子メールおよび他のユーザアプリケーションに関連する情報を含むデータパケットとを含むアプリケーションレイヤのデータを含む、項目２に記載のＵＥ。
（項目４）
上記制御プレーンデータは、レイヤ１のスケジューリング要求のうちの少なくとも１つを含む制御シグナリングを含む、項目１〜３のうちのいずれか一項に記載のＵＥ。
（項目５）
上記制御プレーンデータは、レイヤ２の無線リソース（ＲＲＣ）メッセージの制御シグナリングを含む、項目１〜４のうちのいずれか一項に記載のＵＥ。
（項目６）
上記制御プレーンデータは、移動性測定メッセージの制御シグナリングを含む、項目１〜５のうちのいずれか一項に記載のＵＥ。
（項目７）
制御プレーンデータが送信された後の期間の間、上記受信器が起動しているようにさらに構成されている、項目１〜６のうちのいずれか一項に記載のＵＥ。
（項目８）
予め定義された時間を測定するように構成されているタイミング調整タイマであって、該タイミング調整タイマが満了すると、チャネルリソースの解放を促進するように構成されているタイミング調整タイマをさらに含む、項目１〜７のうちのいずれか一項に記載のＵＥ。
（項目９）
上記予め定義された時間の間ネットワークアクセス装置からのタイミング調整信号を上記ＵＥが受信しない場合に、該ＵＥは上記チャネルリソースを解放する、項目６に記載のＵＥ。
（項目１０）
ユーザ装置（ＵＥ）からネットワークアクセス装置へ制御信号を送信する方法であって、
該方法は、スケジュールされた稼動期間に関係なく該制御信号を送信することを含む、方法。
（項目１１）
上記ネットワークアクセス装置からの応答信号を上記ＵＥが受信するために、十分に長い期間の間該ＵＥを起動させ続けることをさらに含む、項目１０に記載の方法。
（項目１２）
上記期間は、応答タイマによって制御される、項目１１に記載の方法。
（項目１３）
上記制御信号を送信することが、上記スケジュールされた稼動期間に関係なく上記ネットワークアクセス装置へスケジューリング要求を送信することをさらに含む、項目１０〜１２のうちのいずれか一項に記載の方法。
（項目１４）
予め定義された時間の間に上記ＵＥがタイミング調整信号を上記ネットワークアクセス装置から受信しない場合、スケジューリング要求チャネルを該ＵＥが解放することをさらに含む、項目１０〜１３のうちのいずれか一項に記載の方法。
（項目１５）
予め定義された時間の間に上記ＵＥがタイミング調整信号を上記ネットワークアクセス装置から受信しない場合、該ＵＥがスケジューリング要求チャネルを解放することをさらに含む、項目１０〜１４のうちのいずれか一項に記載の方法。
【国際調査報告】
2011514714.tif 000010
2011514714.tif 000011
2011514714.tif 000012